(57)【要約】【課題】他の機器と同じＩＰアドレスの登録でネットワークに混乱を生じさせることのないネットワーク接続通信装置を提供する。【解決手段】電源立ち上げ時か、自機のＩＰアドレス登録時に（ＳＴ１、ＳＴ４）、自機に登録したＩＰアドレスを用いて、ＡＲＰパケットをネットワーク１５０上にブロードキャストする（ＳＴ３、ＳＴ６）。その後、ネットワーク１５０から自機の登録済ＩＰアドレスと同じＩＰアドレスを搭載したＡＲＰレスポンスを受信すると（ＳＴ７）、ＡＲＰレスポンス中のＭＡＣアドレスが自機のＭＡＣアドレスと同じか否か判定し（ＳＴ８）、同じでない場合に、表示部７に自機以外に同じＩＰアドレスを持つ機器が存在する旨を表示する（ＳＴ９）。【選択図】　　　図３
2004146969.tif 000002
【特許請求の範囲】
【請求項１】
ＩＰアドレス登録時または電源ＯＮ時に、自身のＩＰアドレスを載せたＡＲＰパケットをネットワークにブロードキャストする手段と、ネットワークからの応答情報を受けて自身と同一ＩＰアドレスがあるか判定する手段と、この判定で同一ＩＰアドレスがある場合に、その旨を報知する手段とを備えたことを特徴とするネットワーク接続通信装置。
【請求項２】
前記ネットワークからの応答情報がブロードキャストしたＩＰアドレスと同一である場合に、自身のＭＡＣアドレスと応答情報に含まれるＭＡＣアドレスが一致しない場合に、自己の登録アドレスと同一のＩＰアドレスが存在する旨の報知を前記報知手段で行うことを特徴とする請求項１記載のネットワーク接続通信装置。
【発明の詳細な説明】
【０００１】
【発明の属する技術分野】
この発明は、ネットワーク接続されるファクシミリ装置、ファックス機能・コピー機能等の多機能を有する複合機等の通信装置に関する。
【０００２】
【従来の技術】
ファクシミリ装置、複合機などの通信は、ＰＣ（パーソナルコンピュータ）や、メールサーバ、プリンタ等とネットワーク接続され、通信システムを構成する場合がある。この種の通信システムの通信装置等には、それぞれＩＰ（Ｉｎｔｅｒｎｅｔ　Ｐｒｏｔｏｃｏｌ）アドレスを登録することができる。
【０００３】
ところで、従来、ネットワークシステムにおいて、インターネットアドバイス要求手段がマシン立ち上がり時に、インターネットアドレス要求パケットをブロードキャストすると、これに対し、管理サーバがそのパケットを受信し、インターネットアドレス割り当て手段によって、アドレスを割り当て、応答パケットを返送する。そして、クライアントは返送されたパケットを受信し、インターネットアドレス設定手段によって自マシンに割り当てることによって、インターネットアドレスを自動的に割り当てるようにしている（例えば、特許文献１参照）。
【０００４】
【特許文献１】
特開平５−２８０６５号公報
【０００５】
【発明が解決しようとする課題】
上記ネットワークシステムにおいて、ファクシミリ装置、複合機等の通信装置から自身のＩＰアドレスを登録した場合、ＩＰアドレスの登録し得る数（ホストアドレスの数）は、小規模クラスではそれほど多くないので、他の機器とＩＰアドレスが同じものが登録されることがあり、ネットワークの混乱を引き起こすというおそれがある。上記特許文献１に記載のＩＰアドレス割り当ては、管理サーバが自動的に割り当てるので、重複してＩＰアドレスが設定されることはない。しかし、自動割り当てなので、通信装置側からＩＰアドレスを登録する場合には適用できない。
【０００６】
この発明は上記問題点に着目してなされたものであって、自装置からの登録で、他の機器と同じＩＰアドレスの登録となり、ネットワークに混乱を生じさせることのないネットワーク接続通信装置を提供することを目的としている。
【０００７】
【課題を解決するための手段】
この発明のネットワーク接続通信装置は、ＩＰアドレス登録時または電源ＯＮ時に、自身のＩＰアドレスを載せたＡＲＰ（Ａｄｒｅｓｓ　Ｒｅｓｏｌｕｔｉｏｎ　Ｐｒｏｔｏｃｏｌ）パケットをネットワークにブロードキャストする手段と、ネットワークからの応答パケット（応答情報）を受けて自身と同一ＩＰアドレスがあるか判定する手段と、この判定で同一ＩＰアドレスの他の機器がある場合に、その旨を報知する手段とを備えている。
【０００８】
この発明のネットワーク接続通信装置では、ＩＰアドレス登録時又は電源ＯＮ時に、自身のＩＰアドレスを載せたＡＲＰパケットをネットワークにブロードキャストする。ネットワークからの応答パケットを受けると、応答パケットに同一ＩＰアドレスの他の機器があるか判定する。この報知を受けることにより、他のＩＰアドレスに変更することができる。
【０００９】
【発明の実施の形態】
以下、実施の形態により、この発明をさらに詳細に説明する。図１は、この発明が実施されるネットワークシステムの機器構成を示すブロック図である。このネットワークシステムは、通信装置である複合機１００と、クライアントＰＣ１３０、１４０と、メールサーバ１２０と、ＤＨＣＰ（Ｄｉｎａｍｉｒ　ＨｏｓｔＣｏｎｆｉｇｕｒａｔｉｏｎ　Ｐｒｏｔｏｃｏｌ）サーバ１１０とがＬＡＮネットワーク１５０に接続されて構成されている。各機器はＩＰアドレス自動付与専用のＤＨＣＰサーバ１１０によりＩＰアドレスを登録することができる。また、クライアントＰＣ１３０、１４０は、複合機１００を介して、画像をファクシミリ送信でき、プリントアウトもできる。複合機１００は、メールサーバ１２０を用いて、データをメール送信することもできる。
【００１０】
図２は、この発明の一実施形態である複合機能を有するファクシミリ装置（複合機）の構成を示すブロック図である。この複合機１００は、ＮＣＵ１と、モデム２と、画像メモリ３と、ＲＡＭ４と、ＲＯＭ５と、主制御部（ＣＰＵ）６と、表示部７と、操作部８と、読み取り部９と、記録部１０と、ＬＡＮＩ／Ｆ部１１とを備えている。
【００１１】
ＮＣＵ１は、電話回線１６０との接続を制御するとともに、相手先の電話番号（対応したダイヤル信号）の送出及び着信を検出するための機能を備えている。モデム２は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送受データの変調及び受信データの復調を行う。また、モデム２は、ナンバーディスプレイ情報を受信するためにＶ２３の復調機能も備えている。画像メモリ３は、受信画像データや読み取り部９で読み取った原稿画像データを一時的に記憶する。ＲＡＭ４には、各種の処理のデータを一時的に記憶する。このＲＡＭ４には、ＩＰアドレスを登録するＩＰアドレス登録メモリ４ａを有する。また、ＭＡＣアドレスを記憶するＭＡＣアドレスメモリ４ｂも有する。ＲＯＭ５は、ファクシミリ装置全体を制御するためのプログラムを記憶する。
【００１２】
主制御部６は、ＣＰＵで構成され、ＲＯＭ５に記憶されたプログラムに従い、ファクシミリ装置を構成する各部を制御する。主制御部６は、自己のＩＰアドレスを載せたＡＲＰパケットをＬＡＮＩ／Ｆ部１１を介してネットワーク１５０にブロードキャストするのを制御する機能、ネットワーク１５０からの応答パケットを受けて自身と同一ＩＰアドレスがあるか否か判定する機能を備えている。表示部７は、ファクシミリ機能、その他の動作状態等の各種情報を表示する。また、表示部７は登録時などのＩＰアドレスが他の機器のＩＰアドレスと同一の場合に、その旨を表示する。操作部８は、テンキー、スタートキー、その他のキーで構成される。読み取り部９は、原稿上の画像データを読み取って、白黒２値のイメージデータを出力する。記録部１０は、電子写真式のプリンタよりなり、受信画像データやコピー動作において読み取り部９で読み取った原稿の画像データを記録紙上に記録する。ＬＡＮＩ／Ｆ部１１は、ＬＡＮネットワーク１５０を介して外部のＤＨＣＰサーバ１１０、メールサーバ１２０、ＰＣ１３０、１４０等に接続される。
【００１３】
次に、図３に示すフロー図を参照して、この実施形態ファクシミリ装置のＩＰアドレス確認処理について説明する。この処理ルーチンに入ると、先ず、ステップＳＴ１において、電源を立ち上げたか否か判定する。電源を立ち上げたときであれば、ステップＳＴ２へ移行する。一方、電源立ち上げでない場合は、何もしないで処理を終了する。
【００１４】
ステップＳＴ２においては、ファクシミリ装置、複合機１００のＲＡＭ４のＩＰアドレス登録メモリ４ａにＩＰアドレスが登録済みか否か判定する。ＩＰアドレス登録メモリ４ａにＩＰアドレスが登録済の場合には、ステップＳＴ３へ移行する。一方、ＩＰアドレス登録メモリ４ａにＩＰアドレスが登録済みでない場合は、ステップＳＴ３をスキップして、ステップＳＴ４へ移行する。ステップＳＴ３においては、ファクシミリ装置、複合機１００に登録済みのＩＰアドレスを用いてＡＲＰパケットをネットワーク１５０に向けてブロードキャストする。
【００１５】
ステップＳＴ４においては、ＩＰアドレスを入力する。次に、ステップＳＴ５へ移行する。ステップＳＴ５においては、ファクシミリ装置、複合機１００にＩＰアドレスを登録したか否かを判定する。ＩＰアドレスを登録した場合には、ステップステップＳＴ６へ移行する。一方、ＩＰアドレスを登録していない場合は、ステップＳＴ６をスキップして、ステップＳＴ７へ移行する。ステップＳＴ６においては、ファクシミリ装置、複合機１００に登録済みのＩＰアドレスを用いてＡＲＰパケットをネットワーク１５０にブロードキャストする。次に、ステップＳＴ７へ移行する。
【００１６】
ステップＳＴ７においては、ファクシミリ装置、複合機１００に登録済みのＩＰアドレスと同じＡＲＰレスポンス（応答パケット）を受信したか否か判定する。登録済みのＩＰアドレスと同じＩＰアドレスを持つＡＲＰレスポンスをネットワーク１５０から受信すると、ステップＳＴ８へ移行する。一方、登録済みのＩＰアドレスと同じＡＲＰレスポンスを受信でない（異なるＩＰアドレスを持つＡＲＰレスポンスの受信である）場合は、ステップＳＴ１０へ移行する。ステップＳＴ８においては、ＡＲＰレスポンスに付されたＭＡＣ（Ｍｅｄｉａ　Ａｃｃｅｓｓ　Ｃｏｎｔｒｏｌ）アドレスと、ファクシミリ装置、複合機１００のＭＡＣアドレスメモリ４ｂに記憶されるＭＡＣアドレスと同じか否かを判定する。このＭＡＣアドレスは、ＬＡＮ機器に割り当てられた固有の識別番号である。ＭＡＣアドレスと同じであれば、ステップＳＴ１０へ移行する。ＭＡＣアドレスが自機のものと同じ場合は、ＡＲＰレスポンスは自身の登録済みのＩＰアドレスを用いて、ＡＲＰパケットをブロードキャストした場合の自身の戻り応答である。この場合は、同じＩＰアドレスが登録されていないことを意味する。
【００１７】
一方、ＡＲＰレスポンスのＭＡＣアドレスが自機のＭＡＣアドレスと同じでない場合は、自身以外に同じＩＰアドレスが登録された機器が存在することを意味し、この場合は、次にステップＳＴ９へ移行する。ステップＳＴ９においては、表示部７に同じＩＰアドレスが存在する旨を意味する。ステップＳＴ１０においては、その他の処理を実行する。そして、ステップＳＴ１１へ移行する。ステップＳＴ１１においては、処理を終了するか否か判定する。終了の判定でない場合は、ステップＳＴ４へ戻る。一方、終了の判定の場合は、処理を終了する。なお上記実施形態において、自機と同じＩＰアドレスを持つ機器が存在する場合に、表示部７にその旨、つまり“自機と同じＩＰアドレスを持つ機器が存在する”旨を表示するようにしているが、及び又は音声出力により、その旨を報知しても良い。更にまた、これらに代えて、その旨をプリントアウトしても良い。
【００１８】
【発明の効果】
この発明によれば、ＩＰアドレス登録時または電源ＯＮ時に、自身のＩＰアドレスを載せたＡＲＰパケットをネットワークにブロードキャストする手段と、ネットワークからの応答情報を受けて自身と同一ＩＰアドレスがあるか判定する手段と、この判定で同一ＩＰアドレスがある場合に、その旨を報知する手段とを備えているので、自身のＩＰアドレスを登録する際に、他の機器の登録されているＩＰアドレスと同一の場合は、その旨が報知されるので、誤ってＩＰアドレスを登録してネットワークの混乱を引き起こすことを防止できる。
【図面の簡単な説明】
【図１】この発明が実施されるネットワークシステムの機器構成を示す図である。
【図２】同ネットワークシステムの複合機の構成を示すブロック図である。
【図３】同複合機におけるＩＰアドレス確認処理を説明するフロー図である。
【符号の説明】
１　　　　　　　　ＮＣＵ
２　　　　　　　　モデム
３　　　　　　　　画像メモリ
４　　　　　　　　ＲＡＭ
４ａ　　　　　　　ＩＰアドレス登録メモリ
４ｂ　　　　　　　ＭＡＣアドレスメモリ
５　　　　　　　　ＲＯＭ
６　　　　　　　　主制御部
７　　　　　　　　表示部
８　　　　　　　　操作部
９　　　　　　　　読み取り部
１０　　　　　　　記録部
１１　　　　　　　ＬＡＮＩ／Ｆ部
１００　　　　　　複合機
１１０　　　　　　ＤＨＣＰサーバ
１２０　　　　　　メールサーバ
１３０、１４０　　クライアントＰＣ
１５０　　　　　　ＬＡＮネットワーク
１６０　　　　　　電話回線
【図１】
2004146969.tif 000003
【図２】
2004146969.tif 000004
【図３】
2004146969.tif 000005